(57)【要約】  【課題】  従来のＤＶＤプレーヤーなど、映像、音声などを出力する装置において、再生機器が複数接続されている場合には、映像、音声をすべての再生機器に出力していた。ユーザーは複数の再生機器から映像や音声が出力されるのを防ぐため、必要ない出力を切る必要があったが、ＤＶＤディスクの内容が変わるたびに出力する再生機器を変更する必要があり、ユーザーにとって手間がかかっていた。  【解決手段】  上記課題を解決するため、本発明は再生機器の再生機能情報に基づいて、映像や音声を出力する再生機器を選択することができる。このようにすることで、ユーザーは再生機器の設定を変更する必要がない。【選択図】            図１
2007128589.tif 000002
【特許請求の範囲】
【請求項１】
再生機器と、前記再生機器と接続して再生機器にコンテンツの再生をさせるためのコンテンツ情報出力装置とからなるコンテンツ再生システムであって、
コンテンツ情報出力装置は、
再生すべきコンテンツ情報を取得するコンテンツ情報取得部と、
前記コンテンツ情報からコンテンツの再生形態情報を取得する再生形態情報取得部と、
接続されている再生機器の再生機能情報を取得する再生機能情報取得部と、
取得した再生形態情報と、取得した再生機能情報とに基づいて、接続されている再生機器が、コンテンツ情報をその再生形態で再生可能か判断する判断部と、
判断部で再生可能と判断された再生機器に対して再生可能と判断された再生形態で再生されるべきコンテンツ情報の部分を分配出力するコンテンツ分配出力部と、
を有するコンテンツ再生システム。
【請求項２】
コンテンツ情報出力装置の再生機能情報取得部は、接続されている再生機器に対して再生機能情報を要求する再生機能情報要求手段を有し、
再生機器は、
前記再生機能情報の要求に応じて自身の再生機能情報を返信する返信部を有する請求項１に記載のコンテンツ再生システム。
【請求項３】
コンテンツ情報出力装置は、
判断部で再生不能と判断された再生機器に対して所定の制御情報を出力する制御情報出力部を有する請求項１又は２に記載のコンテンツ再生システム。
【請求項４】
コンテンツ情報出力装置は、再生機器と通信をするための第一信号送受信部を有し、
再生機器は、コンテンツ情報出力装置と通信をするための第二信号送受信部を有し、
コンテンツ情報出力装置と、再生機器との間で行なわれる入出力は、前記第一信号送受信部及び第二信号送受信部を介して行なわれる請求項１から３のいずれか一に記載のコンテンツ再生システム。
【請求項５】
前記信号送受信部は、ＨＤＭＩ方式で信号を入出力する請求項４に記載のコンテンツ再生システム。
【請求項６】
再生機器とともにコンテンツ再生システムを構成するコンテンツ情報出力装置であって、
再生すべきコンテンツ情報を取得するコンテンツ情報取得部と、
前記コンテンツ情報からコンテンツの再生形態情報を取得する再生形態情報取得部と、
接続されている再生機器の再生機能情報を取得する再生機能情報取得部と、
取得した再生形態情報と、取得した再生機能情報と、に基づいて接続されている再生機器が、コンテンツ情報をその再生形態で再生可能か判断する判断部と、
判断部で再生可能と判断された再生機器に対して再生可能と判断された再生形態で再生されるべきコンテンツ情報の部分を分配出力するコンテンツ分配出力部と、
を有するコンテンツ情報出力装置。
【請求項７】
前記再生機能情報の要求に応じて自身の再生機能情報を返信する返信部を有する再生機器と接続してコンテンツ再生システムを構成するためのコンテンツ情報出力装置であって、
コンテンツ情報出力装置の再生機能情報取得部は、さらに接続されている再生機器に対して再生機能情報を要求する再生機能情報要求手段を有する請求項６に記載のコンテンツ情報出力装置。
【請求項８】
判断部で再生不能と判断された再生機器に対して所定の制御情報を出力する制御情報出力部を有する請求項６又は７に記載のコンテンツ情報出力装置。
【請求項９】
再生機器と、接続することでコンテンツ再生システムを構成するコンテンツ情報出力装置の動作方法であって、
コンテンツ情報からコンテンツの再生形態情報を取得する再生形態情報取得ステップと、
接続されている再生機器の再生機能情報を取得する再生機能情報取得ステップと、
取得した再生形態情報と、取得した再生機能情報と、に基づいて接続されている再生機器が、コンテンツ情報をその再生形態で再生可能か判断する判断ステップと、
判断ステップで再生可能と判断された再生機器に対して再生可能と判断された再生形態で再生されるべきコンテンツ情報の部分を分配出力するコンテンツ分配出力ステップと、
を有するコンテンツ情報出力装置の動作方法。
【請求項１０】
前記再生機能情報取得ステップは、さらに、接続されている再生機器に対して再生機能情報を要求する再生機能情報要求ステップを有する請求項９に記載のコンテンツ情報出力装置の動作方法。
【請求項１１】
判断ステップで再生不能と判断された再生機器に対して所定の制御情報を出力する制御情報出力ステップをさらに有する請求項９又は１０に記載のコンテンツ情報出力装置の動作方法。
【発明の詳細な説明】
【技術分野】
【０００１】
本発明は、映像や音声などを再生するコンテンツ情報出力装置において、映像、音声あるいは制御信号を複数の機器に出力することが可能な場合に、映像、音声、制御信号を最適な機器に出力することができるコンテンツ再生システム及びコンテンツ再生方法に関する。
【背景技術】
【０００２】
映像や音声などのコンテンツ情報を出力する装置（以下、「コンテンツ情報出力装置」という）において、複数のディスプレイやオーディオ機器（以下、「再生機器」という）が接続されている場合、従来のコンテンツ情報出力装置はそれぞれの再生機器に映像、音声及び制御信号を出力していた。例えば、再生機器の１つが通常のステレオ音声装置付のディスプレイ、もう１つが５．１チャンネルのオーディオ機器（５．１チャンネルとは、より臨場感ある音声出力システムで、聴取者の正面、右前方、左前方、右後方、左後方の５つのスピーカーと、１つのサブウーファースピーカーにより構成される）である場合、音声はディスプレイ付属のステレオ及び５．１チャンネルのオーディオ機器の両方から出力される。再生機器に入力される音声信号が５．１チャンネル対応であれば、ディスプレイ付属のステレオは必要ないし、再生機器に入力される音声信号が５．１チャンネル対応でなければ、５．１チャンネルのオーディオ機器は必要ない。したがって従来の再生機器では無駄な音声が出力されることになっており、ユーザーは使用しない再生機器の音声出力を切らなければならなかった。しかし、再生されている音声が５．１チャンネル対応のものかどうかわからない場合はどちらの音声出力を切れば良いのか判断できない。またコンテンツ情報の内容が５．１チャンネルから２チャンネルに切り替わった場合には、再生機器の出力も変更しなければならないため、ユーザーにとっては手間がかかっていた。
【０００３】
特許文献１には、コンテンツ情報に応じて再生機器を選択する方法が開示されている。この方法によれば、出力する番組の内容に応じて、映像や音声を最適な機器に出力することができる。
【特許文献１】特開平１０−１７４０２９
【発明の開示】
【発明が解決しようとする課題】
【０００４】
しかし特許文献１に記載の方法は、映画、スポーツ、ニュース、ドラマなどコンテンツ情報のジャンルによって再生機器を選択するものであって、チャンネル数、周波数、画素数などコンテンツ情報の出力形態によって再生機器を選択するものではなかった。また、特許文献１に記載の方法では、再生機器の特性はユーザーが自ら入力しなければならず、そのため再生機器の選択に手間がかかっていた。
【課題を解決するための手段】
【０００５】
上記課題を解決するため、本発明は以下のコンテンツ再生システム、コンテンツ再生方法、コンテンツ情報出力装置及びコンテンツ情報出力装置の動作方法を提供する。第一の発明は、再生機器と、前記再生機器を接続して再生機器にコンテンツの再生をさせるためのコンテンツ情報出力装置とからなるコンテンツ再生システムであって、コンテンツ情報出力装置は、再生すべきコンテンツ情報を取得するコンテンツ情報取得部と、前記コンテンツ情報からコンテンツの再生形態情報を取得する再生形態情報取得部と、接続されている再生機器の再生機能情報を取得する再生機能情報取得部と、取得した再生形態情報と、取得した再生機能情報と、に基づいて接続されている再生機器が、コンテンツ情報をその再生形態で再生可能か判断する判断部と、判断部で再生可能と判断された再生機器に対して再生可能と判断された再生形態で再生されるべきコンテンツ情報の部分を分配出力するコンテンツ分配出力部とを有するコンテンツ再生システムを提供する。第二の発明は、コンテンツ情報出力装置の再生機能情報取得部は、接続されている再生機器に対して再生機能情報を要求する再生機能情報要求手段を有し、再生機器は、前記再生機能情報の要求に応じて自身の再生機能情報を返信する返信部を有する第一の発明に記載のコンテンツ再生システムを提供する。第三の発明は、コンテンツ情報出力装置は、判断部で再生不能と判断された再生機器に対して所定の制御情報を出力する制御情報出力部を有する第一又は第二の発明に記載のコンテンツ再生システムを提供する。第四の発明は、コンテンツ情報出力装置は、再生機器と通信をするための第一信号送受信部を有し、再生機器は、コンテンツ情報出力装置と通信をするための第二信号送受信部を有し、コンテンツ情報出力装置と、再生機器との間で行なわれる入出力は、前記第一信号送受信部及び第二信号送受信部を介して行なわれる第一から第三の発明のいずれか一に記載のコンテンツ再生システムを提供する。第五の発明は、前記信号送受信部は、ＨＤＭＩ方式で信号を入出力する第四の発明に記載のコンテンツ再生システムを提供する。
【０００６】
第六の発明は、再生機器とともにコンテンツ再生システムを構成するコンテンツ情報出力装置であって、再生すべきコンテンツ情報を取得するコンテンツ情報取得部と、前記コンテンツ情報からコンテンツの再生形態情報を取得する再生形態情報取得部と、接続されている再生機器の再生機能情報を取得する再生機能情報取得部と、取得した再生形態情報と、取得した再生機能情報と、に基づいて接続されている再生機器が、コンテンツ情報をその再生形態で再生可能か判断する判断部と、判断部で再生可能と判断された再生機器に対して再生可能と判断された再生形態で再生されるべきコンテンツ情報の部分を分配出力するコンテンツ分配出力部と、を有するコンテンツ情報出力装置を提供する。第七の発明は、前記再生機能情報の要求に応じて自身の再生機能情報を返信する返信部を有する再生機器と接続してコンテンツ再生システムを構成するためのコンテンツ情報出力装置であって、コンテンツ情報出力装置の再生機能情報取得部は、さらに接続されている再生機器に対して再生機能情報を要求する再生機能情報要求手段を有する第六の発明に記載のコンテンツ情報出力装置を提供する。第八の発明は、判断部で再生不能と判断された再生機器に対して所定の制御情報を出力する制御情報出力部を有する第六または第七の発明に記載のコンテンツ情報出力装置を提供する。
【０００７】
第九の発明は、再生機器と接続することでコンテンツ再生システムを構成するコンテンツ情報出力装置の動作方法であって、コンテンツ情報からコンテンツの再生形態情報を取得する再生形態情報取得ステップと、接続されている再生機器の再生機能情報を取得する再生機能情報取得ステップと、取得した再生形態情報と、取得した再生機能情報と、に基づいて接続されている再生機器が、コンテンツ情報をその再生形態で再生可能か判断する判断ステップと、判断ステップで再生可能と判断された再生機器に対して再生可能と判断された再生形態で再生されるべきコンテンツ情報の部分を分配出力するコンテンツ分配出力ステップと、を有するコンテンツ情報出力装置の動作方法を提供する。第十の発明は、前記再生機能情報取得ステップは、さらに、接続されている再生機器に対して再生機能情報を要求する再生機能情報要求ステップを有する第九の発明に記載のコンテンツ情報出力装置の動作方法を提供する。第十一の発明は、判断ステップで再生不能と判断された再生機器に対して所定の制御情報を出力する制御情報出力ステップをさらに有する第九又は第十の発明に記載のコンテンツ情報出力装置の動作方法を提供する。
【発明の効果】
【０００８】
本発明のコンテンツ再生システムにより、ユーザーは再生機器の設定を変更することなく、コンテンツ情報の特性に応じて再生するために最適な機器を迅速に選択することができる。
【発明を実施するための最良の形態】
【０００９】
以下に、各発明を実施するための最良の形態を説明する。なお、本発明はこれら実施の形態に何ら限定されるものではなく、その要旨を逸脱しない範囲において、種々なる態様で実施しうる。
【００１０】
実施形態１は主に請求項１、６及び９について説明する。実施形態２は主に請求項２、７及び１０について説明する。実施形態３は主に請求項３、８及び１１について説明する。実施形態４は主に請求項４および５について説明する。
【００１１】
<実施形態１>
<実施形態１：概念>
図１に本実施形態の概念図を示した。ＤＶＤなどの映像、音声を再生するときには、映像はテレビを使用し、音声は５．１チャンネルのオーディオ機器を利用することがある。従来の装置では、映像、音声信号を接続されている全ての再生機器に出力するため、ユーザーは不必要な再生機器の出力を自ら切らなければならなかった。本実施形態のコンテンツ再生システムでは、映像や音声を再生ディスク及び機器特性に応じて最適な再生機器にのみ出力するため、ユーザーが再生機器の出力先を操作する必要がない。
【００１２】
<実施形態１：構成>
図２は、本実施形態のコンテンツ再生システムの機能ブロック図を表したものである。図２にあるように、本実施形態の「コンテンツ再生システム」（０２００）は、「コンテンツ情報出力装置」（０２０１）と、「再生機器」（０２０２）とを有する。「コンテンツ情報出力装置」（０２０１）は、「コンテンツ情報取得部」（０２０３）、「再生形態情報取得部」（０２０４）、「再生機能情報取得部」（０２０５）、「判断部」（０２０６）及び「コンテンツ分配出力部」（０２０７）とを有する。まず、上記構成にしたがって、本実施形態の構成要件について説明する。
【００１３】
「コンテンツ情報出力装置」（０２０１）は、再生機器（０２０２）と接続して再生機器（０２０２）にコンテンツの再生をさせる。コンテンツとは、映像や音声など再生機器（０２０２）に出力され、ユーザーが鑑賞する情報である。コンテンツはＤＶＤディスクやＣＤディスクなどの固定された媒体から提供されるものでも良いし、無線または有線放送により提供されるものであっても良い。コンテンツ情報出力装置の例としては、ＤＶＤプレーヤー、ＣＤプレーヤー、ビデオゲーム機、テレビ及びラジオ受信機などである。
【００１４】
「再生機器」（０２０２）は、コンテンツを映像や音声として出力する装置である。具体的には、液晶ディスプレイ、ＣＲＴディスプレイ、テレビ受像機、ステレオオーディオ機器、５．１チャンネルオーディオ機器などである。
【００１５】
「コンテンツ情報取得部」（０２０３）は、再生すべきコンテンツ情報を取得する。コンテンツ情報とは、映像や音声などのコンテンツを再生する前の情報をデジタルやアナログの信号で表したものである。コンテンツ情報の形態として例えば、ＭＰＥＧファイル、ＡＶＩファイル、ＷＭＡファイルなどがある。コンテンツ情報は、コンテンツそのものあるいはコンテンツを暗号化した情報の他に、コンテンツを識別するための再生形態情報を含んでいる。コンテンツ情報のうち再生形態情報は再生形態情報取得部（０２０４）に渡される。一方、コンテンツ情報のうち、映像や音声に関する情報は復号化され、コンテンツ分配出力部（０２０７）に渡される。
【００１６】
「再生形態情報取得部」（０２０４）は、前記コンテンツ情報からコンテンツの再生形態情報を取得する。再生形態情報とは、コンテンツがどのような再生形態で再生可能かを示す情報であり、例えば、音声のチャンネル数、映像の画素数など、再生機器の特性に依存する情報である。再生形態情報は、再生機器（０２０２）の特性には依存しない情報（再生時間の長さ、コンテンツ情報の圧縮方式など）は含んでいても良い。再生形態情報は、ＤＶＤディスクの場合であれば、VIDEO_TS.IFOやAUDIO_TS.IFOに含まれている。
【００１７】
「再生機能情報取得部」（０２０５）は、接続されている再生機器の再生機能情報を取得する。再生機能情報は、再生機器の特性に関する情報であり、再生形態情報と対応する情報である。再生機能情報は再生機器（０２０２）のＲＯＭやハードディスクなどからコンテンツ情報出力装置（０２０１）が読み取っても良いし、ユーザーが再生機器（０２０２）の特性をコンテンツ情報出力装置（０２０１）に入力しても良い。ユーザーが再生機器（０２０２）の再生機能情報を入力する場合は、入力された再生機能情報をハードディスクなどに記録しておき、その後再生機能情報を取得する場合には、ハードディスクなどに記録された再生機能情報を用いても良い。
【００１８】
「判断部」（０２０６）は、取得した再生形態情報と、取得した再生機能情報と、に基づいて接続されている再生機器が、コンテンツ情報をその再生形態で再生可能か判断する。再生可能かどうかの判断は、再生形態情報と再生機能情報の対応部分が一致しているかどうかにより行う。例えば、再生形態情報の音声出力のチャンネル数が５．１チャンネルであり、再生機能情報の音声出力のチャンネル数が５．１チャンネルであれば再生可能と判断する。また再生形態情報と再生機能情報とが表面的には一致していなくても再生可能と判断する場合がある。例えば音声出力のチャンネル数に関する再生形態情報が「５・１チャンネル」であることは、再生形態情報が、「５．１チャンネル」のみならず、この下位に属する再生形態をも意味すると解釈する場合である。つまり、再生形態情報が「５．１チャンネル」である場合には、判断部は、「５．１チャンネル」、「４チャンネル」、「２チャンネル」、「モノラル」の再生形態情報が含まれているとして、上位から順に一致している再生機能情報があるか判断してゆく場合である。
【００１９】
したがって、再生機器の再生機能情報として、「５．１チャンネル」というものがなかったとしても、「２チャンネル」という再生機能情報がある場合には、２チャンネルの再生機器にて再生可能と判断しても良い。ただし、他に接続されている再生機器に５．１チャンネル音声出力の再生機器があれば、そちらを優先して５．１チャンネルの再生機器のみ再生可能と判断しても良い。これは、機能がより上位である再生形態で出来るだけ再生しようとする趣旨である。この趣旨を全うするように優先順位が設計されると良い。
【００２０】
再生チャンネル以外の例としては、画面の縦横比に関する再生形態情報と再生機能情報とに関する例を挙げることが出来る。例えば「１６：９」の縦横比の表示形態が再生形態情報として含まれている場合には「４：３」という再生形態情報がそのコンテンツ情報に含まれていない場合でも、これを含むように処理してもよい。なぜなら、「１６：９」の縦横比を持つ再生画面は、４：３の縦横比しか持たない再生機器においても再生可能だからである。もちろん、この場合には、４：３の画面の上下を黒く表示して、その部分に何も表示されないようにしたり、１６：９の画面の左右の一部を削除して４：３の画面に表示したりする必要があるので元のコンテンツ情報が見づらくなったり、元のコンテンツ情報の一部は損なわれるかもしれないが、全く表示しないよりは一部でも表示したほうが利用者にとっては便利だからである。
【００２１】
接続されている全ての再生機器が表面的に再生不能と判断した場合には、コンテンツ情報を出力しないという設計も考えられるが、接続されている再生機器のうちでコンテンツ情報の再生形態に最も近い再生機能を有する再生機器に出力したほうが良い。また、接続されている再生機器の一部で再生可能である場合には、他の再生機器で再生可能であったとしても、優先度が低い再生機能情報に該当する再生機器は再生不能であるとする処理を行なうようにしてもよい。
【００２２】
図３は判断部（０２０６）の判断方法を具体的に示した一例である。コンテンツ情報はＤＶＤディスクから提供され、再生機器１および／または再生機器２に出力される。判断部（０２０６）は、ＤＶＤディスクの再生形態情報と再生機器１および再生機器２の再生機能情報を比較して、コンテンツをその形態で再生可能か判断する。ここではチャンネル数、ディスプレイの縦／横比、画質、振動器付きかのそれぞれについて、再生機能情報と再生形態情報とが一致するか否かを判断する。そして音声、映像および振動器のそれぞれについて一致した数が多い再生機器にコンテンツを出力する。図３の場合では、音声については再生機器１で一致しているので、音声は再生機器１に出力する。また、映像については、再生機器１は全く一致するものがなく、再生機器２については２つとも一致しているので、映像は再生機器２に出力する。また、振動器は再生機器１および再生機器２ともに有していないので、振動はいずれにも出力しない。
【００２３】
図４は判断部（０２０６）の判断方法を具体的に示した別の一例である。この例では、チャンネル数、再生周波数、ダイナミックレンジ（以上、音声）、画素数、階調、再生速度、カラー／モノクロ（以上、映像）について、再生機器１および再生機器２がＤＶＤディスクのコンテンツを再生するのにどれだけ適しているかを、最大値を１００として数値で表し、音声および映像のそれぞれについて各比較情報についての合計値が最も高い再生機器を選択する。ここでは、再生形態情報と再生機能情報が一致した場合を１００とし、不一致の場合は再生形態情報と再生機能情報とがかけ離れているほど減点する。例えば、再生形態情報と再生機能情報が完全に一致している場合は１００点とし、再生形態情報の数値に対して再生機能情報の数値がｘ％離れている場合は、１００−ｘ点とする。図４の場合では、音声については再生機器１の方が再生機器２よりも点数が高いため、音声は再生機器１に出力し、映像については再生機器２の方が再生機器１よりも点数が高いため、映像は再生機器２に出力する。なお、再生形態情報よりも再生機能情報の方がオーバースペックである場合には再生可能である限りスペックが高いほうを利用するとするのがよい。再生機器によっては、アンダースペックの情報を補正して自身のスペックに合わせてコンテンツ情報を再構成する機能などを有している場合があるからである。また音声の再生周波数帯に関するスペックなどに関しては、周波数帯がオーバースペックであればあるほど、再生形態情報の周波数帯での音のひずみを小さく出来るなどの場合も多く、オーバースペックである方がむしろ好ましい。これは、映像に関する画素数、走査線数などに関しても同様である。
【００２４】
「コンテンツ分配出力部」（０２０７）は、判断部（０２０６）で再生可能と判断された再生機器に対して再生可能と判断された再生形態で再生されるべきコンテンツ情報の部分を分配出力する。コンテンツ情報の部分とは、コンテンツ情報のうち、再生機器が再生する映像あるいは音声の情報である。再生機器が音声あるいは映像のどちらかのみを再生する場合には、コンテンツ分配出力部（０２０７）はその再生機器に対しては、再生する情報のみを出力する。
【００２５】
図５は、コンテンツ情報を分配して再生機器に出力する様子を説明した図である。コンテンツ情報は通常パケットを最小単位としてデータの処理を行う。映像と音声をコンテンツとして含む場合は、映像と音声は別々のパケットとして扱われる。１パケットはヘッダー部分とコンテンツ部分に分かれる。ヘッダー部分は時間情報やその他の制御情報が記述されている。コンテンツ部分には、再生すべき映像、音声の復号前の圧縮データが記述されている。コンテンツ情報出力装置は、ヘッダー情報に含まれる時間情報を参照して、復号化された音声コンテンツはオーディオ機器に、映像コンテンツはディスプレイに同期して出力する。
【００２６】
図６は、再生機器をユーザーが選択する画面を示した図である。コンテンツ情報出力装置（０２０１）は、自動的に再生機器を選択するが、ユーザーにとって好ましくない再生機器が選択される場合もある。そのため、図６のように、コンテンツ情報出力装置（０２０１）が再生機器を選択した後にその結果をユーザーに知らせて、ユーザーが選択された再生機器を変更することができるようにしても良い。
【００２７】
<実施形態１：処理の流れ>
図７は本実施形態の処理の流れの一例を説明した図である。本実施形態のコンテンツ情報出力装置の動作方法は、再生形態情報取得ステップ（Ｓ０７０１）と、再生機能情報取得ステップ（Ｓ０７０２）と、判断ステップ（Ｓ０７０３）と、コンテンツ分配出力ステップ（Ｓ０７０４）とからなる。
【００２８】
最初に再生形態情報取得ステップ（Ｓ０７０１）において、コンテンツ情報からコンテンツの再生形態情報を取得する。次に再生機能情報取得ステップ（Ｓ０７０２）において、接続されている再生機器の再生機能情報を取得する。再生機能情報取得ステップ（Ｓ０７０２）は、再生形態情報取得ステップ（Ｓ０７０１）より先でも構わない。次に判断ステップ（Ｓ０７０３）において、取得した再生形態情報と、取得した再生機能情報と、に基づいて接続されている再生機器が、コンテンツ情報をその再生形態で再生可能か判断する。次にコンテンツ分配出力ステップ（Ｓ０７０４）において、判断ステップ（Ｓ０７０３）で再生可能と判断された再生機器に対して再生可能と判断された再生形態で再生されるべきコンテンツ情報の部分を分配出力する。
【００２９】
<実施形態1：ハードウェアの説明>
図８および図９は、本実施形態のコンテンツ再生システムのハードウェア構成の一例を示した図である。図８はコンテンツ再生システム、再生機器１および再生機器２の構成を示したものであり、図９はコンテンツ情報出力装置のみの構成を示したものである。実線で囲った箇所がコンテンツ再生システムを構成するハードウェアおよび装置、点線で囲った箇所が請求項に記載の前記構成要件である。この図を用いて、前記構成要件をさらに詳しく説明する。
【００３０】
コンテンツ再生システム（０８００）は、コンテンツ情報出力装置（０８０１）、再生機器１（０８０２）および再生機器２（０８０３）により構成される。
【００３１】
コンテンツ情報出力装置（０８０１）のコンテンツ情報取得部（０８０４）および再生形態情報取得部（０８０５）は、ＣＰＵ（０８０９）、ＲＡＭ（０８１０）、ＨＤＤ（０８１１）およびＤＶＤドライブ（０８１９）により構成される。ＣＰＵ（０８０９）は演算を行う装置であり、情報の入出力の命令などを行う。ＲＡＭ（０８１０）は情報を一時的に保存する装置であり、コンテンツ情報、再生形態情報、再生機能情報などが格納される。ＨＤＤ（０８１１）はコンテンツ情報出力装置の電源を切った後も情報を保存する装置であり、テレビで放送されたコンテンツ情報などが記録される。ＤＶＤドライブ（０８１９）はＤＶＤディスクを格納するための装置である。ＤＶＤディスクにはコンテンツ情報などが記録されている。再生機能情報取得部（０８０６）はＣＰＵ（０８０９）、ＲＡＭ（０８１０）およびＩ／Ｏ（制御）（０８１２）により構成される。Ｉ／Ｏ（制御）（０８１２）は、情報のうち再生機器の動作を制御するための信号（例えば再生機器の電源ＯＮ／ＯＦＦ）を送受信する装置であり、再生機能情報の受信はこの装置を介して行われる。判断部（０８０７）は、ＣＰＵ（０８０９）とＲＡＭ（０８１０）により構成される。コンテンツ分配出力部（０８０８）は、オーディオデコーダ（０８１３）、ビデオデコーダ（０８１６）、Ａ／Ｄ変換器（０８１４、０８１７）、Ｉ／Ｏ（音声）（０８１５）およびＩ／Ｏ（映像）（０８１８）により構成される。オーディオデコーダ（０８１３）はＭＰＥＧなどの形式により圧縮された音声データを復号化する装置である。ビデオデコーダ（０８１６）はＭＰＥＧなどの形式により圧縮された映像データを復号化する装置である。Ａ／Ｄ変換器（０８１４、０８１７）はデジタル情報をアナログ情報に変換する装置である。Ｉ／Ｏ（音声）（０８１５）はコンテンツ情報のうち音声情報を出力する装置であり、Ｉ／Ｏ（映像）（０８１８）はコンテンツ情報のうち映像情報を出力する装置である。
【００３２】
再生機器１（０８０２）は５．１チャンネルの音声を再生するためのオーディオ機器、例えばシステムコンポであり、ＣＰＵ（０８２０）、ＲＡＭ（０８２１）、ＨＤＤ（０８２２）、Ｉ／Ｏ（制御）（０８２３）、Ｉ／Ｏ（音声）（０８２４）、５．１ｃｈスピーカー（０８２５）により構成される。コンテンツ情報出力装置（０８０１）から送られてきた音声情報は、Ｉ／Ｏ（音声）（０８２４）にて受信し、５．１ｃｈスピーカー（０８２５）に出力される。Ｉ／Ｏ（制御）（０８２３）は再生機器１（０８０２）を制御する情報を受信する。ＣＰＵ（０８２０）、ＲＡＭ（０８２１）は音声情報や制御情報のやり取りや判断を行う。ＨＤＤ（０８２２）は再生機器の再生機能情報などを格納する装置である。
【００３３】
再生機器２（０８０３）は映像および２チャンネルの音声を再生するためのステレオ内蔵ディスプレイである。コンテンツ情報出力装置（０８０１）から送られてきた映像情報はＩ／Ｏ（映像）（０８３１）にて受信し、ディスプレイ（０８３３）に出力され、音声情報はＩ／Ｏ（音声）（０８３０）にて受信し、ステレオスピーカー（０８３２）に出力される。その他の装置については再生機器１（０８０２）と同様である。
【００３４】
図１０は、これらのハードウェア構成を用いた本実施形態の処理の流れを説明した図である。図８ないし図１０を用いて、本実施形態の処理の流れを更に詳しく説明する。
【００３５】
最初に、コンテンツ情報出力装置のＣＰＵ（０８０９）がＤＶＤドライブ（０８１９）に挿入されたＤＶＤディスクから再生形態情報を取得し、ＲＡＭ（０８１０）に格納する（Ｓ１００１）。次に、コンテンツ情報出力装置のＣＰＵ（０８０９）がｎに初期値１を代入してＲＡＭ（０８１０）に格納する（Ｓ１００２）。次に、コンテンツ情報出力装置のＣＰＵ（０８０９）が再生機器ｎの再生機能情報ｎを取得し、ＲＡＭ（０８１０）に格納する（Ｓ１００３）。次にコンテンツ情報出力装置のＣＰＵ（０８０９）が、ｎが終了したか判断し（Ｓ１００４）、終了していないと判断した場合はｎに１を加える演算を行い（Ｓ１００５）、Ｓ１００３の処理を繰り返す。一方、Ｓ１００４において、ｎが終了したと判断された場合は、コンテンツ情報出力装置のＣＰＵ（０８０９）が再びｎの初期値を１としてＲＡＭ（０８１０）に格納する（Ｓ１００６）。次に、コンテンツ情報出力装置のＣＰＵ（０８０９）がＲＡＭ（０８１０）に格納された再生形態情報と再生機能情報ｎを比較し、両者が適合関係にあるか判断する（Ｓ１００７）。その結果、両者が適合関係にある場合は、コンテンツ情報出力装置のＣＰＵ（０８０９）が再生機器ｎにコンテンツ情報を出力し（Ｓ１００８）、適合関係にない場合は、再生機器ｎにコンテンツ情報を出力しない。次にコンテンツ情報出力装置のＣＰＵ（０８０９）が、ｎが終了したか判断し（Ｓ１００９）、終了していないと判断した場合はｎに１を加える演算を行い（Ｓ１０１０）、Ｓ１００７の処理を繰り返す。一方、コンテンツ情報出力装置のＣＰＵ（０８０９）がｎが終了したと判断した場合には、処理を終了する。
【００３６】
<実施形態１：効果>
本実施形態のコンテンツ再生システムにより、ユーザーは再生機器の設定を変更することなく、コンテンツ情報の特性に応じて再生するのに最適な機器を迅速に選択することができる。
【００３７】
<実施形態２>
<実施形態２：概念>
本実施形態は、再生機器の特性を示す再生機能情報を、コンテンツ情報出力装置が自ら取得することを特徴とする。
【００３８】
<実施形態２：構成>
図１１は、本実施形態のコンテンツ再生システムの機能ブロック図を表したものである。図１１にあるように、本実施形態の「コンテンツ再生システム」（１１００）は、「コンテンツ情報出力装置」（１１０１）と、「再生機器」（１１０２）とを有する。「コンテンツ情報出力装置」（１１０１）は、「コンテンツ情報取得部」（１１０３）、「再生形態情報取得部」（１１０４）、「再生機能情報取得部」（１１０５）、「判断部」（１１０６）及び「コンテンツ分配出力部」（１１０７）とを有する。「再生機能情報取得部」（１１０５）はさらに「再生機能情報要求手段」（１１０８）を有する。「再生機器」（１１０２）はさらに「返信部」（１１０９）を有する。まず、上記構成にしたがって、本実施形態の構成要件について説明する。
【００３９】
「再生機能情報要求手段」（１１０８）は、接続されている再生機器（１１０２）に対して再生機能情報を要求する。このようにすることで、ユーザーが再生機器（１１０２）をコンテンツ情報出力装置（１１０１）に接続するだけで、コンテンツ情報出力装置（１１０１）が再生機能情報を取得することができ、ユーザーにとって利便性が向上する。
【００４０】
「返信部」（１１０９）は、前記再生機能情報の要求に応じて自身の再生機能情報を返信する。返信された再生機能情報は、再生機能情報取得部（１１０５）に渡される。その他の構成については実施形態１と同様である。
【００４１】
<実施形態２：処理の流れ>
図１２は本実施形態の処理の流れの一例を説明した図である。本実施形態のコンテンツ情報出力装置の動作方法は、再生形態情報取得ステップ（Ｓ１２０１）と、再生機能情報要求ステップ（Ｓ１２０２）と、再生機能情報取得ステップ（Ｓ１２０３）と、判断ステップ（Ｓ１２０４）と、コンテンツ分配出力ステップ（Ｓ１２０５）とからなる。
【００４２】
再生形態取得ステップ（Ｓ１２０１）の後、再生機能情報要求ステップ（Ｓ１２０２）において、接続されている再生機器に対して再生機能情報を要求する。その他の処理の流れは実施形態１と同様である。なお、再生形態情報取得ステップ（Ｓ１２０１）は、再生機能情報取得ステップ（Ｓ１２０３）の後でも構わない。
【００４３】
<実施形態２：ハードウェアの説明>
図１３および図１４は、本実施形態のコンテンツ再生システムのハードウェア構成の一例を示した図である。図１３はコンテンツ再生システム、再生機器１および再生機器２の構成を示したものであり、図１４はコンテンツ情報出力装置のみの構成を示したものである。実線で囲った箇所がコンテンツ再生システムを構成するハードウェアおよび装置、点線で囲った箇所が請求項に記載の前記構成要件である。この図を用いて、前記構成要件をさらに詳しく説明する。
【００４４】
コンテンツ再生システム（１３００）を構成する装置およびその装置を構成するハードウェアについては実施形態１と同様である。本実施形態では構成要件として再生機能情報要求手段（１３０７）と返信部（１３２１、１３２２）を有する。再生機能情報要求手段（１３０７）はＣＰＵ（１３１０），ＲＡＭ（１３１１）およびＩ／Ｏ（制御）（１３１３）により構成される。再生機能情報を要求する命令はＩ／Ｏ（制御）（１３１３）を介して再生機器１（１３０２）および再生機器２（１３０３）に送られる。返信部（１３２１、１３２２）はＣＰＵ（１３２３、１３２９）、ＲＡＭ（１３２４、１３３０）、ＨＤＤ（１３２５、１３３１）およびＩ／Ｏ（制御）（１３２６、１３３２）により構成される。再生機能情報要求手段（１３０７）から再生機能情報の要求があった場合、ＣＰＵ（１３２３、１３２９）はＨＤＤ（１３２５、１３３１）から再生機能情報を読み込み、Ｉ／Ｏ（制御）（１３２６、１３３２）を介してコンテンツ情報出力装置（１３０１）に送る。その他の構成要件のハードウェア構成は実施形態１と同様である。
【００４５】
図１５はこれらのハードウェア構成を用いた本実施形態の処理の流れを説明した図である。図１３ないし図１５を用いて、本実施形態の処理の流れを更に詳しく説明する。
【００４６】
本実施形態が実施形態１（図１０）と異なる点は、コンテンツ情報出力装置のＣＰＵ（１３１０）が再生機器に対し再生機能情報を要求する点である（Ｓ１５０３）。それに対し、再生機器ｎのＣＰＵ（１３２３、１３２９）は、ＨＤＤ（１３２５、１３３１）に格納されている再生機能情報をＩ／Ｏ（制御）（１３２６、１３３２）を介してコンテンツ情報出力装置（１３０１）に返信する。その他の処理は実施形態１と同様である。
【００４７】
<実施形態２：効果>
本実施形態のコンテンツ再生システムにより、ユーザーが再生機器の再生機能情報をコンテンツ情報出力装置に送らなくても、コンテンツ情報出力装置が自動的に再生機能情報を読み取るので、ユーザーにとって利便性が向上する。
【００４８】
<実施形態３>
<実施形態３：概念>
本実施形態は、コンテンツ情報出力装置が、コンテンツ情報を送信しない再生機器の電源を切ったり省電力モードにしたりすることを特徴とする。
【００４９】
<実施形態３：構成>
図１６は、本実施形態のコンテンツ再生システムの機能ブロック図を表したものである。図１６にあるように、本実施形態の「コンテンツ再生システム」（１６００）は、「コンテンツ情報出力装置」（１６０１）と、「再生機器」（１６０２）とを有する。「コンテンツ情報出力装置」（１６０１）は、「コンテンツ情報取得部」（１６０３）、「再生形態情報取得部」（１６０４）、「再生機能情報取得部」（１６０５）、「判断部」（１６０６）、「コンテンツ分配出力部」（１６０７）および「制御情報出力部」（１６０８）とを有する。まず、上記構成にしたがって、本実施形態の構成要件について説明する。
【００５０】
「制御情報出力部」（１６０８）は、判断部（１６０６）で再生不能と判断された再生機器（１６０２）に対して所定の制御情報を出力する。再生不能とは、再生機器（１６０２）がコンテンツ情報の有する再生形態で再生することが不可能なことをいう。例えば再生機器（１６０２）が２チャンネルのオーディオ機器、コンテンツ情報の再生形態が５．１チャンネルであり、かつコンテンツ情報出力装置（１６０１）には他に５．１チャンネルのオーディオ機器が接続されている場合を考える。この場合、コンテンツ情報の音声は５．１チャンネルより低位の２チャンネルのオーディオ機器に出力することもできるが、５．１チャンネルのオーディオ機器があるため、判断部（１６０６）は２チャンネルのオーディオ機器は再生不能と判断する。所定の制御情報とは、例えば、再生機器の電源をＯＦＦにする命令、再生機器を省電力モードにする命令、再生機器がディスプレイである場合に画面をスクリーンセーバーに変える命令、再生機器がオーディオ機器である場合に音量を小さくする命令などである。その他の構成要件については実施形態１と同様である。
【００５１】
<実施形態３：処理の流れ>
図１７は本実施形態の処理の流れの一例を説明した図である。本実施形態のコンテンツ情報出力装置の動作方法は、再生形態情報取得ステップ（Ｓ１７０１）と、再生機能情報取得ステップ（Ｓ１７０２）と、判断ステップ（Ｓ１７０３）と、コンテンツ分配出力ステップ（Ｓ１７０４）と、制御情報出力ステップ（Ｓ１７０５）とからなる。Ｓ１７０１からＳ１７０４までは実施形態１と同様である。制御情報出力ステップ（Ｓ１７０５）では、判断ステップ（Ｓ１７０３）で再生不能と判断された再生機器に対して所定の制御情報を出力する。
【００５２】
<実施形態３：ハードウェアの説明>
図１８および図１９は、本実施形態のコンテンツ再生システムのハードウェア構成の一例を示した図である。図１８はコンテンツ再生システム、再生機器１および再生機器２の構成を示したものであり、図１９はコンテンツ情報出力装置のみの構成を示したものである。実線で囲った箇所がコンテンツ再生システムを構成するハードウェアおよび装置、点線で囲った箇所が請求項に記載の前記構成要件である。この図を用いて、前記構成要件をさらに詳しく説明する。
【００５３】
コンテンツ再生システム（１８００）を構成する装置およびその装置を構成するハードウェアについては実施形態１と同様である。本実施形態では構成要件として制御情報出力部（１８０９）を有する。制御情報出力部（１８０９）は、ＣＰＵ（１８１０）、ＲＡＭ（１８１１）およびＩ／Ｏ（制御）（１８１３）により構成される。ＣＰＵ（１８１０）は制御情報を出力する命令をする装置であり、ＲＡＭ（１８１１）は制御情報を一時的に格納する装置である。ＲＡＭ（１８１１）に格納された制御情報はＩ／Ｏ（制御）（１８１３）を介して再生機器１（１８０２）および再生機器２（１８０３）に送信される。その他の構成要件のハードウェア構成は実施形態１と同様である。
【００５４】
図２０はこれらのハードウェア構成を用いた本実施形態の処理の流れを説明した図である。図１８ないし図２０を用いて、本実施形態の処理の流れを更に詳しく説明する。
【００５５】
本実施形態において実施形態１（図１０）と異なる点は、コンテンツ情報出力装置のＣＰＵ（１８１０）が、再生形態情報と再生機能情報ｎが適合関係にないと判断した場合に、再生機器ｎは再生不能であると判断し、再生機器ｎの電源を切るための制御情報を送ることである。制御情報は、コンテンツ情報出力装置のＨＤＤ（１８２３）に格納されており、判断部の結果に基づいてコンテンツ情報出力装置のＣＰＵ（１８１０）がＩ／Ｏ（制御）（１８１３）を介して制御情報を再生機器ｎに送信する。制御情報を受け取った再生機器ｎのＣＰＵ（１８２１、１８２７）は再生機器ｎの電源を切る処理を行う。
【００５６】
図２５は図１８および図１９のハードウェア構成を用いた本実施形態の処理の流れの別の一例を示した図である。コンテンツ情報を再生機器ｎに出力する場合に、再生機器ｎの電源が入っていない場合は、再生機器ｎに電源をＯＮにする制御情報を送る（Ｓ２５０８、Ｓ２５１０）。その他の処理の流れは図２０と同様である。
【００５７】
<実施形態３：効果>
本実施形態のコンテンツ再生システムにより、使用しない再生機器は電源を切ったり省電力モードに切り替えたりすることができるため、コンテンツ情報出力装置に複数の再生機器が接続されていたとしても、電力を無駄に消費することがない。
【００５８】
<実施形態４>
<実施形態４：概念>
本実施形態は、映像、音声、制御信号を各装置に１つの端子から入出力することを特徴とする。
【００５９】
<実施形態４：構成>
図２１は、本実施形態のコンテンツ再生システムの機能ブロック図を表したものである。図２１にあるように、本実施形態の「コンテンツ再生システム」（２１００）は、「コンテンツ情報出力装置」（２１０１）と、「再生機器」（２１０２）とからなる。「コンテンツ情報出力装置」（２１０１）は、「コンテンツ情報取得部」（２１０３）、「再生形態情報取得部」（２１０４）、「再生機能情報取得部」（２１０５）、「判断部」（２１０６）、「コンテンツ分配出力部」（２１０７）および「第一信号送受信部」（２１０８）を有する。「再生機器」（２１０２）は「第二信号送受信部」（２１０９）を有する。まず、上記構成にしたがって、本実施形態の構成要件について説明する。
【００６０】
「第一信号送受信部」（２１０８）は再生機器（２１０２）と通信し、「第二信号送受信部」（２１０９）はコンテンツ情報出力装置（２１０１）と通信する。そして、コンテンツ情報出力装置（２１０１）と、再生機器（２１０２）との間で行なわれる入出力は、前記第一信号送受信部（２１０８）及び第二信号送受信部（２１０９）を介して行なわれる。このようにすることで、情報のやり取りは各装置について１つの端子があれば良く、配線が複雑になることがない。特に再生機器を複数接続する本発明においては、本実施形態のようにすることがより好ましい。本実施形態の通信方法として例えばＨＤＭＩ方式がある。ＨＤＭＩ方式とは、２００２年１２月に策定された、主に家電やＡＶ機器向けのデジタル映像・音声入出力インターフェース規格である。コンテンツ情報出力装置にＨＤＭＩ方式で再生機器が接続されている場合、コンテンツ情報出力装置は１本の配線で映像と音声を再生機器に出力することができる。また、両機器間で同じ配線により制御情報のやり取りを行うこともできる。
【００６１】
<実施形態４：処理の流れ>
本実施形態の処理の流れは実施形態１と同様なので省略する。
【００６２】
<実施形態４：ハードウェアの説明>
図２２および図２３は、本実施形態のコンテンツ再生システムのハードウェア構成の一例を示した図である。図２２はコンテンツ再生システム、再生機器１および再生機器２の構成を示したものであり、図２３はコンテンツ情報出力装置のみの構成を示したものである。実線で囲った箇所がコンテンツ再生システムを構成するハードウェアおよび装置、点線で囲った箇所が請求項に記載の前記構成要件である。この図を用いて、前記構成要件をさらに詳しく説明する。
【００６３】
本実施形態では、コンテンツ再生システム（２２００）を構成するコンテンツ情報出力装置（２２０１）、再生機器１（２２０２）、再生機器２（２２０３）のいずれの装置もＩ／Ｏ（２２１７、２２２２、２２２７）は１つであり、映像、音声、制御のように分かれていることはない。その他のハードウェア構成は実施形態１と同様である。第一信号送受信部（２２０８）はオーディオデコーダ（２２１５）、ビデオデコーダ（２２３０）、Ａ／Ｄ変換器（２２１６，２２３１）、Ｉ／Ｏ（２２１７）により構成される。第二送受信部（２２１０，２２１１）はＩ／Ｏ（２２２２、２２２７）により構成される。映像、音声、制御信号は全てＩ／Ｏ（２２１７、２２２２、２２２７）を介して送受信される。
【００６４】
図２４はこれらのハードウェア構成を用いた本実施形態の処理の流れを説明した図である。基本的な処理の流れは実施形態１同様であるが、本実施形態ではＩ／Ｏが映像、音声、制御と分かれておらず統一されているため、Ｓ２４０８においてコンテンツ情報のうち音声および映像のいずれも一のＩ／Ｏ（２２１７）から出力される。
【００６５】
<実施形態４：効果>
本実施形態のコンテンツ再生システムにより、映像、音声、制御信号の送受信を全て１本の配線で行うことができるため、配線が複雑になることはない。特に本発明のように、コンテンツ情報出力装置に複数の再生機器を接続する場合は、配線の数を少なくすることで装置の取り付けが容易になる。
【図面の簡単な説明】
【００６６】
【図１】実施形態１を説明するための概念図。
【図２】実施形態１を説明するための機能ブロック図。
【図３】実施形態１の処理の具体例を説明した図。
【図４】実施形態１の処理の具体例を説明した図。
【図５】実施形態１の処理の具体例を説明した図。
【図６】実施形態１の処理の具体例を説明した図。
【図７】実施形態１の処理の流れの一例を説明した図。
【図８】実施形態１のハードウェア構成の一例を説明した図。
【図９】実施形態１のハードウェア構成の一例を説明した図。
【図１０】実施形態１の具体的な処理の流れの一例を説明した図。
【図１１】実施形態２を説明するための機能ブロック図。
【図１２】実施形態２の処理の流れの一例を説明した図。
【図１３】実施形態２のハードウェア構成の一例を説明した図。
【図１４】実施形態２のハードウェア構成の一例を説明した図。
【図１５】実施形態２の具体的な処理の流れの一例を説明した図。
【図１６】実施形態３を説明するための機能ブロック図。
【図１７】実施形態３の処理の流れの一例を説明した図。
【図１８】実施形態３のハードウェア構成の一例を説明した図。
【図１９】実施形態３のハードウェア構成の一例を説明した図。
【図２０】実施形態３の具体的な処理の流れの一例を説明した図。
【図２１】実施形態４を説明するための機能ブロック図。
【図２２】実施形態４のハードウェア構成の一例を説明した図。
【図２３】実施形態４のハードウェア構成の一例を説明した図。
【図２４】実施形態４の具体的な処理の流れの一例を説明した図。
【図２５】実施形態３の具体的な処理の流れの一例を説明した図。
【符号の説明】
【００６７】
０２００  コンテンツ再生システム
０２０１  コンテンツ情報出力装置
０２０２  再生機器
０２０３  コンテンツ情報取得部
０２０４  再生形態情報取得部
０２０５  再生機能情報取得部
０２０６  判断部
０２０７  コンテンツ分配出力部
【図１】
2007128589.tif 000003
【図２】
2007128589.tif 000004
【図３】
2007128589.tif 000005
【図４】
2007128589.tif 000006
【図５】
2007128589.tif 000007
【図６】
2007128589.tif 000008
【図７】
2007128589.tif 000009
【図８】
2007128589.tif 000010
【図９】
2007128589.tif 000011
【図１０】
2007128589.tif 000012
【図１１】
2007128589.tif 000013
【図１２】
2007128589.tif 000014
【図１３】
2007128589.tif 000015
【図１４】
2007128589.tif 000016
【図１５】
2007128589.tif 000017
【図１６】
2007128589.tif 000018
【図１７】
2007128589.tif 000019
【図１８】
2007128589.tif 000020
【図１９】
2007128589.tif 000021
【図２０】
2007128589.tif 000022
【図２１】
2007128589.tif 000023
【図２２】
2007128589.tif 000024
【図２３】
2007128589.tif 000025
【図２４】
2007128589.tif 000026
【図２５】
2007128589.tif 000027